(57)【要約】【課題】通常のグロスニスの光沢以上に光沢を得て、よりそれが目立つように強調して表現可能な紙部材を得る。【解決手段】表側にアルミニウム蒸着層（３）を有する紙部材（１）において、表側が、部分的に光沢のある光沢部（４）と、光沢を隠蔽した隠蔽部（５）と、からなり、前記光沢部は、紫外線硬化樹脂からなるハイグロスニスの肉盛り印刷部（４１）とし、前記隠蔽部は、アルミニウム蒸着表面を覆う隠蔽層（５１）と、前記隠蔽層上を覆うオーバーコート層（５２）を有し、前記光沢部に、前記肉盛り印刷部の裏面を表側に向って押し上げた浮き上げ部（４２）を設けたことを特徴とする紙部材。【選択図】図１
2020006566.tif 000002
【特許請求の範囲】
【請求項１】
表側にアルミニウム蒸着層を有する紙部材において、
表側が、部分的に光沢のある光沢部と、光沢を隠蔽した隠蔽部と、からなり、
前記光沢部は、紫外線硬化樹脂からなるハイグロスニスの肉盛り印刷部とし、
前記隠蔽部は、アルミニウム蒸着表面を覆う隠蔽層と、前記隠蔽層上を覆うオーバーコート層を有し、
前記光沢部に、前記肉盛り印刷部の裏面を表側に向って押し上げた浮き上げ部を設けたことを特徴とする紙部材。
【請求項２】
アルミニウム蒸着層を有する紙部材が、アルミニウムを蒸着したポリエチレンテレフタレートフィルムを、ロール状の紙にエクストルーダーラミネーションで貼り合せた巻き取り状の紙部材としたことを特徴とする請求項１に記載の紙部材。
【請求項３】
隠蔽層が白色系顔料を含有したインキからなることを特徴とする請求項１、又は２に記載の紙部材。
【請求項４】
白色系顔料が二酸化チタンと炭酸カルシウムを主体とした顔料からなることを特徴とする請求項３に記載の紙部材。
【請求項５】
光沢部が、円形形状としたことを特徴とする請求項１〜４のいずれかに記載の紙部材。
【請求項６】
請求項１〜５のいずれかの紙部材を使用して製造されたことを特徴とする紙容器。
【発明の詳細な説明】
【技術分野】
【０００１】
本発明は、紙を基材とし、意匠性を向上させた紙部材と、それを使用した紙容器に関する。
【背景技術】
【０００２】
印刷物等の表面を、単に印刷柄に頼るだけではなく、もっと他の方法も組み合わせて、より目立つような表面加工を施し、豊かな表現ができれば、印刷物の付加価値を向上させ、もっと多彩な利用に発展させることができる。
【０００３】
上記要望に対して、例えば、特許文献１では、基材上に撥液性を有するニス層で絵柄を設け、少なくともその絵柄のニス層を含む範囲上に紫外線硬化型グロスニス層を設けたことを特徴とする印刷物を提案している。
【０００４】
グロスニスによって光沢を部分的に上げると共に、他の部分を低グロス、あるいはマットにして、その光沢の差を生かした意匠で表現するものである。しかしながら、単なるグロスニスによる光沢だけでは、高い意匠性が表現できず、より部分的に高い光沢を有する方法が求められていた。
【先行技術文献】
【特許文献】
【０００５】
【特許文献１】特開２００５−２３８６２６号公報
【発明の概要】
【発明が解決しようとする課題】
【０００６】
そこで、本発明は、通常のグロスニスの光沢以上に光沢を得て、よりそれが目立つように強調して表現可能な紙部材を得ることが、本発明の課題である。
【課題を解決するための手段】
【０００７】
本発明の紙部材は、
表側にアルミニウム蒸着層を有する紙部材において、
表側が、部分的に光沢のある光沢部と、光沢を隠蔽した隠蔽部と、からなり、
前記光沢部は、紫外線硬化樹脂からなるハイグロスニスの肉盛り印刷部とし、
前記隠蔽部は、アルミニウム蒸着表面を覆う隠蔽層と、前記隠蔽層上を覆うオーバーコート層を有し、
前記光沢部に、前記肉盛り印刷部の裏面を表側に向って押し上げた浮き上げ部を設けたことを特徴とする紙部材である。
【発明の効果】
【０００８】
本発明の紙部材は、部分的なアルミニウム蒸着表面にハイグロスニスが肉盛り印刷され、さらにその表面が裏面から押し上げられた浮き上げ部とすることによって、周囲から際立って高い光沢の印刷部を得て、豊かな加飾表現を得ることができる。
【図面の簡単な説明】
【０００９】
【図１】本発明に係る紙部材の断面図である。
【図２】本発明に係る紙部材における浮き上げ前の状態を示す断面図である。
【図３】本発明に係る紙部材の浮き上げ工程を示す断面図である。
【図４】本発明に係る紙部材で、光が反射する状態を示す断面図である。
【発明を実施するための形態】
【００１０】
以下、本発明の紙部材の実施形態について、図で説明する。
図１は、本発明に係る紙部材の断面図である。
本発明の紙部材は、紙基材２の表側にアルミニウム蒸着層３を有している。
アルミニウム蒸着層３のおもて面側には、光沢部４と、光沢を隠蔽した隠蔽部５と、がある。
【００１１】
隠蔽部５は、アルミニウム蒸着層３の表面を覆ってアルミニウム蒸着の光沢を打ち消す為、拡散作用のある成分を含む層からなる隠蔽層５１と、前記隠蔽層５１上を覆って、隠蔽層を保護するオーバーコート層５２を有している。
【００１２】
光沢部４には、紫外線硬化樹脂からなるハイグロスニスの肉盛り印刷部４１があって、中央が高く、凸レンズ状に形成されている。
肉盛り印刷部４１は中央が高く、形成されているが、さらに、紙基材の裏面から表側に向って押し上げた浮き上げ部４２が形成され、より中央が高く形成されている。
この浮き上げ部４２が形成されることによって、アルミニウム蒸着層３も中央が高く形成されている。
【００１３】
図２は、本発明に係る紙部材における浮き上げ前の状態を示す断面図である。
紙基材２の紙は、坪量１００〜５００ｇ／ｍ２、密度０．６〜１．１ｇ／ｃｍ３の範囲の紙を使用する。できれば、長繊維の紙が好ましい。
紙表面にはアンダーコート剤を塗工し、その上にアルミニウム蒸着したポリエチレンテレフタレートフィルムを、Ｔダイ押出機の溶融ポリエチレンを挟みながら貼り合せることによって、紙基材２にアルミニウム蒸着層３を有するシートを製造することができる。
紙部材には、次工程で、印刷と浮き上げとの位置合わせを正確に行なえるようにする為、位置合わせの基準端を設けたり、位置合わせの孔を開孔しておくことが好ましい。もちろん、位置合わせ孔を開口した場合には、印刷版や浮き上げ型に、位置合わせのピンを少なくとも２箇所設ける必要がある。
【００１４】
浮き上げ前は、紙基材２や、アルミニウム蒸着層３は平坦で、光沢部４の肉盛り印刷部４１も下端が平らになっている。
肉盛り印刷部４１は、ハイグロスであるシリコンの紫外線硬化樹脂を主成分とした透明樹脂を使用する。例えば、ＤＩＣ株式会社製ＵＶＴクリアーＥＸＰ１１０２２４（ＴＦ−７）ニスや、株式会社Ｔ＆Ｋ  ＴＯＫＡ製ＵＶ  グロスＯＰニス  Ｔ−１００などが使用できる。
これらの透明樹脂は、粘性の高い樹脂系インキで、表面張力によって、中央を高くした、凸レンズ状の状態に、印刷方式で塗工することができる。その塗工した凸状のレンズ状態のままで、紫外線を照射して硬化させる。
この時、紫外線照射による硬化は、短時間で硬化させることが出来るので、あまり樹脂の温度が上昇して粘度が変化しない内に硬化させ、その塗工した形状のままの、凸レンズの形態を保って硬化できるので、凸レンズの効果を得ることができる。
【００１５】
肉盛り印刷部４１周縁に隠蔽部５を設ける。隠蔽部５は、拡散作用のある成分を含む層からなる隠蔽層５１を印刷して設けられる。
先に印刷した肉盛り印刷部４１は、シリコンが混入されていることによって、撥水性の高いインキで印刷されている。この為、次工程の隠蔽層５１を印刷すると、その肉盛り印刷部では隠蔽層５１が撥ねて、塗工されず、肉盛り印刷部４１の周縁にのみ、隠蔽部５が生じる。
【００１６】
隠蔽部５に使用されるインキは、光を拡散させて隠蔽させる成分からなる。
この、拡散作用のある成分は、二酸化チタンや炭酸カルシウムなどの白色顔料を主成分としたインキ層で、光拡散し易い０．２〜０．５μｍの粒径とし、かつ、黄変しないように酸化アルミニウムや酸化珪素、ジルコニアなどによって表面処理を行なった顔料とすることが望ましい。
この白色顔料には、着色顔料を混合し、有色化した顔料であってもかまわない。または、白色顔料を主成分としたインキ層の上に、着色インキ層を設けても良い。
【００１７】
さらに、隠蔽部５の表面には、マット材を混入したマットニス等でオーバーコート層５２を設けることが望ましい。隠蔽部５をマット表面にすることによって、光沢部４のハイグロス表面が、光沢差によって際立つようになる。
【００１８】
図３は、本発明に係る紙部材の浮き上げ工程を示す断面図である。
図３−１は浮き上げ前の状態で、図３−２が浮き上げ後の状態を示している。
浮き上げは、円形形状で浮き上げることが基本である。
円形であることによって、紙基材２はもちろんのこと、アルミニウム蒸着層３も破断しにくい。また、凸レンズも、正確なレンズに加工できる。
光沢部４を裏面から押し上げて、光沢部４が浮き上げる型は、木型に光沢部４と同形状で、位置も合わせた版６を埋め込んで製造する。
表側にも、光沢部４の所は抜いた形状の受け板７を当て、浮き上げを助ける。
また、版６の周囲にゴム版６１を設けて、紙部材１を押さえて、紙部材の逃げを防ぐと共に、版６から紙部材１を抜いて、取り出しやすくする。
ゴム版６１の代わりに、下方にバネを有する撥ね板であってもかまわない。
【００１９】
図４は、本発明に係る紙部材で、光が反射する状態を示す断面図である。
平行な光が、紙部材の光沢部４に照射すると、レンズ効果で光が集められると共に、広範囲に広がって反射し、その高いレンズ効果が発揮される。
このような紙部材を使用して、紙容器を製造すると、高級で、目立つ、意匠性の高い紙容器にすることができるので、贈答用などの紙容器として、高付加価値の容器に利用することができる。
【００２０】
本発明の紙部材は、以上のようなもので、加飾付与の乏しい紙器グラビア印刷において、従来にはなかった、レンズ状で意匠性に優れた高付加価値を付与することができる加飾を施すことができる。
【符号の説明】
【００２１】
１・・・・・・・・紙部材
２・・・・・・・・紙基材
３・・・・・・・・アルミニウム蒸着層
４・・・・・・・・光沢部
４１・・・・・・・肉盛り印刷部
４２・・・・・・・浮き上げ部
５・・・・・・・・隠蔽部
５１・・・・・・・隠蔽層
５２・・・・・・・オーバーコート層
６・・・・・・・・版
６１・・・・・・・ゴム版
７・・・・・・・・受け板
【図１】
2020006566.tif 000003
【図２】
2020006566.tif 000004
【図３】
2020006566.tif 000005
【図４】
2020006566.tif 000006